(57)【要約】【課題】電源を必要とせず、構造が単純で安価でコンパクトで持ち運び可能な傘であって、安全のために発光または反射して光ることができる傘を提供すること。【解決手段】安全のために発光または反射して光る傘であって、蛍光塗料を塗布した手持ち部、石突部及び親骨の先端部と、反射材を配置した傘布部とを有する、ことを特徴とする。【選択図】図１
0003202759.tif 000002
【実用新案登録請求の範囲】
【請求項１】
安全のために発光または反射して光る傘であって、
蛍光塗料を塗布した手持ち部、石突部及び親骨の先端部と、
反射材を配置した傘布部と
を有する、ことを特徴とする傘。
【考案の詳細な説明】
【技術分野】
【０００１】
本考案は、夜間使用時に、安全のために発光または反射して光る傘に関する。
【背景技術】
【０００２】
使用者が雨天や夜間に歩行する際の安全性を高めるために、発光装置を備えた発光機能付き傘が知られている。
【０００３】
特許文献１では、傘の一体型発光部材及びそのリードフレームであって、単層リードフレームは、１枚の導電金属のシートから製造された円弧の帯状薄片のリードフレームであり、かつ電気回路を構成可能である１又は複数の並べられた配列を含み、前記円弧の長さは傘部品の外形円周の大きさに合わせられ、それぞれの前記リードフレームが、複数の導線と、電気的絶縁と、取付台と、電源ピンと、共通接点とを含み、前記複数の導線の両端が、取付台、電源ピン又は共通接点と接続するために使用され、そのうち少なくとも一端は前記取付台に接続され、絶縁層が前記電気的絶縁を提供するために使用され、前記取付台における電極接点、前記電源ピン及び前記共通接点を除き適切な電気的絶縁を備えており、電気絶縁構造は、絶縁層、絶縁スリットなどであり、前記電源ピン及び前記共通接点は、いずれか一端に１つの電源ピンを有するか、一端に電源ピンを有しかつ他端に共通接点を有するか、一端のみに電源ピンを有するか、又は両端のいずれにも電源ピンも共通接点も有さず、前記共通接点は、直列接続回路の低電位側で用いられて低電位の電源ピンと接続し、前記取付台は、取付台導線で構成され、該取付台導線には、高電位の電極接点、低電位の電極接点又は絶縁スリットにより離された一組の高電位及び低電位の電極接点が備えられ、これらはＬＥＤチップの電極接点と接合するために用いられることができることを特徴とする、傘の一体型発光部材及びそのリードフレームに関する技術を開示している。
【先行技術文献】
【特許文献】
【０００４】
【特許文献１】特開２０１５−２４３４４号公報
【考案の概要】
【考案が解決しようとする課題】
【０００５】
しかしながら、特許文献１に開示されている技術では、ＬＥＤにより発光するため、電源が必要になり、構造が複雑になる。また、特許文献１に開示されている技術では、比較的安価な日用品である傘が高額になる場合がある。
【０００６】
本考案は、コンパクトで持ち運び可能な傘であって、安全のために発光または反射して光る傘を提供することを目的とする。
【０００７】
また、本考案は、光る傘であって、電源を必要とせず、構造が単純で安価な傘であってもよい。
【課題を解決するための手段】
【０００８】
上記課題を解決するために、本考案の一つの実施形態は、安全のために発光または反射して光る傘であって、蛍光塗料を塗布した手持ち部、石突部及び親骨の先端部と、反射材を配置した傘布部とを有する、ことを特徴とする傘を提供する。
【考案の効果】
【０００９】
本考案に係る傘によれば、コンパクトで持ち運び可能な傘であって、安全のために発光または反射して光ることができる。また、本考案に係る傘によれば、電源を必要とせず、構造が単純で安価な傘を実現することができる。
【図面の簡単な説明】
【００１０】
【図１】本考案の実施形態に係る傘の一例を説明する説明図である。
【考案を実施するための形態】
【００１１】
実施形態に係る傘の例を用いて、本考案を説明する。なお、本考案は、以後に説明する傘以外でも、雨天や夜間に歩行する際の安全性を高めるために発光または反射して光る傘であれば、いずれのものにも用いることができる。なお、傘の素材、色、形状は、特に限定されない。傘の色は、透明、半透明、色付きのものであってもよい。傘の色は、例えば使用者（消費者）の趣味趣向に合わせた柄のものであってもよい。また、本考案は、雨傘・日傘、和傘・洋傘のいずれにも用いることができる。
【００１２】
以後に、本考案を説明する。
【００１３】
図１を用いて、本考案の実施形態に係る傘の構成を説明する。ここで、図１は、本考案の実施形態に係る傘の一例を説明する説明図である。なお、図１に示す傘の構成等は一例であり、本考案は図１に示す傘に限定されるものではない。
【００１４】
図１に示すように、本考案に係る傘１００は、開傘時の「持ち手」となる手持ち部１１と、中棒の先端部分である石突部１２と、傘布（カバー）を支える親骨と、骨全体を覆い縫った状態の傘生地である傘布部１４と、を有する。
【００１５】
手持ち部１１は、開傘時の「持ち手」となる部位である。手持ち部１１は、手元、ハンドルなどと呼ばれる場合もある。本考案に係る手持ち部１１は、蛍光塗料を塗布している。これにより、本考案に係る傘１００は、手持ち部１１を発光することができ、被視認性を向上させることできるので、雨天や夜間に歩行する際の安全性を高めることができる。なお、手持ち部１１の材質は特に限定されない。手持ち部１１は、例えば焼き加工や特殊加工を施した高級木材・高級竹材などを用いてもよい。また、手持ち部１１に塗布する蛍光塗料の材質は特に限定されない。蛍光塗料は光を発するものであれば、いずれも用いることができる。
【００１６】
石突部１２は、中棒の先端部分の部位である。本考案に係る石突部１２は、蛍光塗料を塗布している。これにより、本考案に係る傘１００は、石突部１２を発光することができ、被視認性を向上させることできるので、雨天や夜間に歩行する際の安全性を高めることができる。なお、石突部１２の材質は特に限定されない。また、石突部１２に塗布する蛍光塗料の材質は特に限定されない。蛍光塗料は光を発するものであれば、いずれも用いることができる。
【００１７】
親骨は、中棒上部にある「上ロクロ」から張り出し傘布（カバー）を支える部位である。本考案に係る親骨の先端部１３（親骨の先端、露崎、チップなど）は、蛍光塗料を塗布している。これにより、本考案に係る傘１００は、親骨の先端部１３を発光することができ、被視認性を向上させることできるので、雨天や夜間に歩行する際の安全性を高めることができる。なお、親骨の材質は特に限定されない。また、親骨の先端部１３に塗布する蛍光塗料の材質は特に限定されない。蛍光塗料は光を発するものであれば、いずれも用いることができる。
【００１８】
傘布部１４は、傘製品として骨全体を覆い縫った状態の傘生地である。手持ち部１１は、傘布、カバーなどと呼ばれる場合もある。本考案に係る傘布部１４は、反射材を少なくとも一部に配置している。ここで、反射材の形状および配置位置は、予め設計、実験、計算などで定められる形状及び配置位置とすることができる。これにより、本考案に係る傘１００は、傘布部１４で光を反射することができ、被視認性を向上させることできるので、雨天や夜間に歩行する際の安全性を高めることができる。なお、傘布部１４の材質は特に限定されない。また、傘布部１４に配置する反射材の材質は特に限定されない。反射材は光を反射するものであれば、いずれも用いることができる。
【００１９】
以上のとおり、本考案に係る傘によれば、コンパクトで持ち運び可能な傘であって、安全のために発光または反射して光ることができる。また、本考案に係る傘によれば、電源を必要とせず、構造が単純で安価な傘を実現することができる。
【００２０】
また、本考案に係る傘によれば、黒い傘を用いて夜間歩行した場合と比較して、自動車やオートバイ、自転車から識別し易く、安全性を向上することができ、交通事故に会う危険性を低減することができる。また、本考案に係る傘によれば、手持ち部、石突部及び親骨の先端部に塗布した蛍光塗料、並びに、傘布部に配置した反射材を光らせることができるので、電源を使用して光る傘と比較して、簡便で構造が単純な方法で安全性を向上することができる。更に、本考案に係る傘によれば、使用方法が通常の傘と同じであり、特別な手間はかからない。
【００２１】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２２】
１００  ：  傘
１１  ：  手持ち部（手元、ハンドルなど）
１２  ：  石突部（石突など）
１３  ：  先端部（親骨の先端、露崎、チップなど）
１４  ：  傘布部（傘布、カバーなど）
【図１】
0003202759.tif 000003